(57)【要約】【課題】  脚部を高さ調節可能としつつ、吸盤の解除に利用する線材に係る操作を簡易なものとすることができる浴槽台を提供する。【解決手段】  浴槽台１において、脚部３の下端には固定のための吸盤１４が取付けられ、該吸盤１４の端部にはチェイン２９の一端が結合され、該チェイン２９の他端にはピン３０が取付けられ、該台部２の下面には該ピン３０を係合する複数個の係合孔３１が設けられ、該脚部３の伸縮の度合に対応して該複数個の係合孔３１のいずれかに該ピン３０を係合する構成とされ、該ピン３０の先端部には１個または２個以上の縦キーが突設され、該係合孔３１には該ピン３０の該縦キーに対応する縦キー溝４２が設けられ、該ピン３０の縦キーを係合孔３１の縦キー溝４２に合わせて該ピン３０を該係合孔３１に係合せしめて回動させると、該ピン３０の縦キーの端部が係合孔３１の周縁部に係止されることにより、該ピン３０を該係合孔３１に固定する。【選択図】      図４
2008079707.tif 000002
【特許請求の範囲】
【請求項１】
台部と、該台部の四隅にそれぞれ取付けられている脚部とを有し、該脚部が外筒と、該外筒に内挿された内筒とから構成された伸縮による高さ調節可能な構成とされるとともに、
該脚部の下端には固定のための吸盤が取付けられ、該吸盤の端部には線材の一端が結合され、該線材の他端にはピンが取付けられ、該台部の下面には該ピンを係合する複数個の係合孔が設けられ、該脚部の伸縮の度合に対応して該複数個の係合孔のいずれかに該ピンを係合する構成とされたものであって、
該ピンの先端部には１個または２個以上の縦キーが突設され、該台部の係合孔には該ピンの該縦キーに対応する縦キー溝が設けられ、該ピンの縦キーを係合孔の縦キー溝に合わせて該ピンを該台部の係合孔に係合せしめて回動させると、該ピンの縦キーの端部が係合孔の周縁部に係止されることにより、該ピンを該係合孔に固定することを特徴とする浴槽台。
【請求項２】
該ピンの端部には拡径頭部が設けられ、該拡径頭部の周囲にはガイド部が突設され、該ガイド部には弧状のガイド溝が設けられており、該線材の他端が該ガイド溝に摺動自在に接続されている請求項１に記載の浴槽台。
【請求項３】
該線材は、吸盤の端部から略垂直に立ち上がるように該台部の下面に設けられたガイドによってガイドされたうえ、各脚部の吸盤に結合されたうちの一対が合一されて一つの該ピンのガイド部のガイド溝に摺動自在に接続されている請求項２に記載の浴槽台。
【請求項４】
該台部の相対する一対の側縁部には開放把手がその上縁部を介して回動自在に取付けられており、また各脚部の吸盤に結合されたうちの一対の線材は、該ガイドによってガイドされ、さらに該開放把手の下縁部に突設されているガイド突起によってガイドされたうえで合一されて一つの該ピンのガイド溝に摺動自在に接続されており、
該開放把手を該台部の外側に向かって回動させると、該線材が引っ張られて該吸盤の端部がめくれ上り、該吸盤の内部の真空が破られるように設定する請求項３に記載の浴槽台。
【発明の詳細な説明】
【技術分野】
【０００１】
本発明は、浴室の床、浴槽内の底等に置いて使用する浴槽台に関するものである。
【背景技術】
【０００２】
従来、浴室の床、浴槽内の底等に置いて使用する浴槽台として、例えば特許文献１，２に記載のようなものが提案されている。これら浴槽台は、使用時に浴室の床、浴槽内の底等に固定するために、脚部の下端に吸盤が取り付けられている。該吸盤にはチェイン、紐等からなる線材又は紐状体が結合されており、この線材又は紐状体は浴槽台の座板、あるいは台部の側縁部に取り付けられた把手に繋がっている。そして、該把手を座板内へ押し込んだり、引き出したりして線材又は紐状体を引っ張り、該吸盤の端部をめくり上げることで該吸盤による浴室の床、浴槽内の底等に対する固定を解除するようになっている。
【０００３】
【特許文献１】特開２００４−３２１３５０号公報
【特許文献２】特開平８−１９６４５４号公報
【発明の開示】
【発明が解決しようとする課題】
【０００４】
ところが、上記従来の浴槽台において、使用者の体格差に対応するため、脚部を高さ調節可能な構成とすることが望ましい。一方、脚部が高さ調節可能な浴槽台は、線材又は紐状体が大きく弛み、邪魔になる場合があるため、弛んだ線材又は紐状体を引っ張ったうえで台部、脚部等の所定箇所に引っ掛けることにより、弛みを解消する構成が考えられる。しかし、力のない者、特に老人、身障者等にとって、線材又は紐状体を引っ張ったうえで何れかの箇所に引っ掛けるという操作は極めて困難である。また高さ調節をする場合に、所定箇所に引っ掛けられた線材又は紐状体を引っ張って外すという操作も極めて困難である。
【０００５】
本発明は、このような従来技術に存在する問題点に着目してなされたものである。その目的とするところは、脚部を高さ調節可能としつつ、吸盤の解除に利用する線材に係る操作を簡易なものとすることができる浴槽台を提供することにある。
【課題を解決するための手段】
【０００６】
上記の課題を解決するために、請求項１に記載の浴槽台の発明は、台部と、該台部の四隅にそれぞれ取付けられている脚部とを有し、該脚部が外筒と、該外筒に内挿された内筒とから構成された伸縮による高さ調節可能な構成とされるとともに、該脚部の下端には固定のための吸盤が取付けられ、該吸盤の端部には線材の一端が結合され、該線材の他端にはピンが取付けられ、該台部の下面には該ピンを係合する複数個の係合孔が設けられ、該脚部の伸縮の度合に対応して該複数個の係合孔のいずれかに該ピンを係合する構成とされたものであって、該ピンの先端部には１個または２個以上の縦キーが突設され、該台部の係合孔には該ピンの該縦キーに対応する縦キー溝が設けられ、該ピンの縦キーを係合孔の縦キー溝に合わせて該ピンを該台部の係合孔に係合せしめて回動させると、該ピンの縦キーの端部が係合孔の周縁部に係止されることにより、該ピンを該係合孔に固定することを要旨とする。
【０００７】
上記構成によれば、脚部は、外筒と、該外筒に内挿された内筒とから構成されることにより、伸縮によって高さ調節可能となる。また、脚部の下端に取付けられた吸盤を浴室の床、浴槽の底などに吸着させることで、浴槽台を固定することが可能となる。さらに、吸盤を引っ張るための線材を設け、該線材の他端にピンを取付け、該ピンを係合する複数個の係合孔を台部の下面に設けたことにより、高さ調節によって線材が弛んでしまった場合には、適当な係合孔にピンを固定することで、該線材の弛みを解消することができる。加えて、ピンに設けられた縦キーと係合孔に設けられた縦キー溝との係合関係により、ピンを係合孔へ固定する操作については、係合孔へピンを差し込み、貫通せしめて回動させるのみで事が足りる。つまり、線材を引っ張りながら何れか所定箇所に引っ掛け足り、あるいは所定箇所から外したりする操作に比べ、係合孔へピンを貫通せしめて回動させる操作は、力を必要とせず、簡易である。従って、脚部を高さ調節可能としつつ、吸盤の解除に利用する線材に係る操作を簡易なものとすることができる。
【０００８】
さらに、請求項２において、請求項１に記載の浴槽台の発明で、該ピンの端部には拡径頭部が設けられ、該拡径頭部の周囲にはガイド部が突設され、該ガイド部には弧状のガイド溝が設けられており、該線材の他端が該ガイド溝に摺動自在に接続されていることが望ましい。
上記構成によれば、ピンを係合孔に貫通せしめて回動させる時、該拡径頭部を手がかりとして回動を容易に行なうことができる。また、ガイド溝を設けることにより、ピンに接続された線材が該ピンの回動を妨げることはない。
【０００９】
さらに、請求項３において、請求項２に記載の浴槽台の発明で、該線材は、吸盤の端部から略垂直に立ち上がるように該台部の下面に設けられたガイドによってガイドされたうえ、各脚部の吸盤に結合されたうちの一対が合一されて一つの該ピンのガイド部のガイド溝に摺動自在に接続されていることが望ましい。
上記構成によれば、台部の下面にガイドを設けて線材を吸盤の端部から略垂直に立ち上げることにより、吸盤の端部を斜め方向に引っ張るものに比べ、該吸盤の端部をめくり上げるために要するストロークが短くなる。このため、該吸盤の端部に該吸盤をめくり上げようとする力が小さな動きで無駄なく好適に加わるため、浴槽台の固定を容易に解除することができる。
【００１０】
さらに、請求項４において、請求項３に記載の浴槽台の発明で、該台部の相対する一対の側縁部には開放把手がその上縁部を介して回動自在に取付けられており、また各脚部の吸盤に結合されたうちの一対の線材は、該ガイドによってガイドされ、さらに該開放把手の下縁部に突設されているガイド突起によってガイドされたうえで合一されて一つの該ピンのガイド溝に摺動自在に接続されており、該開放把手を該台部の外側に向かって回動させると、該線材が引っ張られて該吸盤の端部がめくれ上り、該吸盤の内部の真空が破られるように設定することが望ましい。
上記構成によれば、開放把手がその上縁部を介して回動自在に取付けられることにより、指を握りこむ等のように指先に力を込めずとも、開放把手に指をかけて浴槽台を持ち上げることにより、該開放把手が回動し、線材が引っ張られる。その結果、開放把手に指をかけて浴槽台を持ち上げるという自然な動作で吸盤の端部をめくり上げることができ、浴槽台の固定を解除するために大きな力を必要とすることなく、該吸盤の端部を容易にめくり上げることができる。
【発明の効果】
【００１１】
本発明によれば、吸盤の端部を線材で引っ張ってめくり上げ、該吸盤の真空を破って浴槽台を浴場床から持ち上げ移動させることを容易にするが、握力の弱い人でも該線材の他端のピンを該浴槽台の高さに対応して該浴槽台の台部の複数個の係合孔の１つに係合することが容易に出来る。
【発明を実施するための最良の形態】
【００１２】
以下、本発明を図１〜図１１に示す一実施例によって説明する。
図１に示すように、浴槽台１は台部２と該台部２の四隅にそれぞれ取り付けられている脚部３とからなる。図２に示すように、該台部２は、平面形状矩形に形成されており、箱型下部４と、該箱型下部４上に被着される蓋型上部５とからなる。
図３に示すように、脚部３は、外筒１２と該外筒１２に下側から内挿される内筒１３とからなり、該内筒１３の下端には吸盤１４が取り付けられている。該内筒１３には、４対のピン孔１５（１５Ａ〜１５Ｄ）が上下に並んで設けられている。また、該外筒１２の下端部には一個のピン孔１６が設けられている。さらに、該内筒１３の外周には、ガイド溝１７が上下に延びるように設けられている。加えて、該外筒１２の下端部は、その周面にねじ溝１８が設けられるとともに、下端から複数条のスリット１９が設けられてチャック状となっており、また該外筒１２の内周には上下にガイド突条１２Ａが設けられている。
【００１３】
該内筒１３は、該内筒１３のガイド溝１７を外筒１２のガイド突条１２Ａに沿わせて外筒１２に内挿され、挿入孔であるピン孔１５のうち一つを選び（図３中ではピン孔１５Ｂ）、該ピン孔１５Ｂを外筒１２のピン孔１６に合わせて固定ピン２４を挿入する。
該固定ピン２４は、Ｃ環状のホルダー２５と、該ホルダー２５の内側から差出されるピン本体２６とからなる。該ピン本体２６をピン孔１５Ｂ，１６に挿入し、該ホルダー２５を切欠部２５Ａを介して外筒１２に嵌めることにより、該固定ピン２４は外筒１２に固定される。
【００１４】
該脚部３は、該外筒１２に対して該内筒１３をスライドさせることによって伸縮自在に構成されており、外筒１２のピン孔１６に合わせて固定ピン２４を何れかのピン孔１５Ａ〜１５Ｄに挿入することにより、使用者の使い勝手に応じて四段階で高さを調節することができるようになっている。なお、本実施形態の脚部３は、ピン孔１５Ａを選んだ場合に最大伸長状態となり、ピン孔１５Ｄを選んだ場合に最縮小状態となる。
加えて、該外筒１２の下端部ねじ溝１８には締付けリング２７が螺着されている。該締付けリング２７は、その内周下端にねじ山２８が形成されており、該ねじ山２８を該外筒１２のねじ溝１８に螺合することにより、該外筒１２の下端部ねじ溝１８に螺着されている。そして、該締付けリング２７を締付けることにより、該内筒１３と該外筒１２のがたつきを解消する。
【００１５】
該脚部３において、該吸盤１４の端部には、線材であるチェイン２９の一端が結合されている（図１，図２を参照）。図４に示すように、該チェイン２９の他端には、ピン３０が取り付けられている。また、前記台部２の箱型下部４の下面において、脚部３の直近位置にはガイド２９Ａが設けられており、該ガイド２９Ａによって該チェイン２９は、吸盤１４の端部から略垂直に立ち上がるようにガイドされている。さらに、前記台部２において、箱型下部４の下面には、該ピン３０を係合するための係合孔３１が複数個（図４中では係合孔３１Ａ〜３１Ｄの４対で合計８個）が設けられている。
一方、前記台部２において、相対する一対の側縁部として長辺側の側縁部中央には、開放把手３２が設けられている（図２，図４を参照）。該開放把手３２は、両側の上縁部から側方に向かって突設された回動軸３２Ａにて該箱型下部４の長側縁に取り付けられており、該回動軸３２Ａを軸中心として回動自在となっている。また該開放把手３２の両側の下縁部には、該チェイン２９を引っ掛けるためのガイド突起３２Ｂが突設されている。
なお、本実施形態では線材をチェイン２９としたが、チェイン２９に限らず、線材としてワイヤー、ヒモ、針金などを使用してもよい。
【００１６】
ここで、該ピン３０及び該係合孔３１について説明する。
まずピン３０について説明する。図５（ａ）〜（ｄ）に示すように、ピン３０は、端部となる基端部に設けられた円板状の拡径頭部４０と、該拡径頭部４０の一面中心から延設されて先端部を構成する軸部４１とを有する。該軸部４１の先端には、１個または２個以上の縦キー４１Ａ（図５中では２個）が突設されている。
該拡径頭部４０の他面には、ノブ４０Ａが直径方向に延びるように形成されている。また該拡径頭部４０の周囲には、四半周面にわたってガイド部４０Ｂが突設されるとともに、該ガイド部４０Ｂには弧状のガイド溝４０Ｃが透設されている。そして、一つの該ピン３０の該ガイド溝４０Ｃには、前記台部２の長辺側で隣接する脚部３の吸盤１４に結合された一対のチェイン２９が合一され、摺動自在に接続されている（図４参照）。
次に係合孔３１について説明する。なお、図６（ａ）は係合孔３１を箱型下部４の下面側から見た平面図であり、図６（ｃ）は係合孔３１を箱型下部４の上面側から見た平面図であり、図６（ｂ），（ｃ）はそれぞれ短辺側及び長辺側から見た係合孔３１の断面図である。図６（ａ）〜（ｄ）に示すように、係合孔３１は、箱型下部４を貫通して形成されるとともに、該ピン３０の該縦キー４１Ａに対応するように、係合孔３１の両側部には縦キー溝４２が設けられている。また箱型下部４の上面側となる係合孔３１の端部において、該係合孔３１の周縁部には、段差４３が形成されて降り、該段差４３には該ピン３０の該縦キー４１Ａが係止されるようになっている。
【００１７】
次いで、該ピン３０の該係合孔３１への固定について説明する。
該ピン３０を該係合孔３１へ固定する場合、図７（ａ）に示すように、該ピン３０の該縦キー４１Ａと、該係合孔３１の該縦キー溝４２とが対応する位置関係となるようにしたうえで、該ピン３０の該軸部４１を該係合孔３１に挿入する。次いで、図８（ａ）に示すように、該ピン３０を該係合孔３１に係合せしめたうえで、該ピン３０のノブ４０Ａを摘んで該ピン３０を回動させる。すると、図８（ｂ）に示すように、該ピン３０の該縦キー４１Ａは、該係合孔３１の該段差４３によってガイドされつつ、該段差４３に係止され、該縦キー４１Ａの該段差４３への係止により、該ピン３０が該係合孔３１に固定される。
【００１８】
さて、上記浴槽台１は、脚部３に取り付けられた吸盤１４を用い、該浴槽台１を浴槽の底、浴室の床などに固定して使用する。その使用時において、該浴槽台１は、使用者の体格、使い勝手などに応じて、該脚部３を適宜高さ調節する。この高さ調節時において、吸盤１４に結合されたチェイン２９は、ゆるみ過ぎ足り、あるいは張り過ぎたりしてしまうため、該脚部３の伸縮の度合に対応して該ピン３０を該係合孔３１のいずれかに付け替えて係合し、適宜調節する。
例えば、ピン孔１５Ｂからピン孔１５Ａに変更して脚部３を最大伸長状態にした場合、該ピン３０は、該係合孔３１Ｂから外され、該係合孔３１Ａに係合される。一方、ピン孔１５Ｂからピン孔１５Ｄに変更して脚部３を最縮小状態にした場合、該ピン３０は、該係合孔３１Ｂから外され、該係合孔３１Ｄに係合される。該ピン３０の脱着及び再装着は、該ピン３０のノブ４０Ａを指で摘み、回動させるのみでよく、指先の力をほとんど要しない。また、該ピン３０の回動時には、該ピン３０の該縦キー４１Ａが該段差４３によってガイドされるとともに、ガイド部４０Ｂに設けられたガイド溝４０Ｃをチェイン２９が摺動することにより、回動方向が一方向に案内されるため、該ピン３０の回動操作を把握しやすく、脱着、装着を迅速且つ容易に行うことができる。
【００１９】
なお、従来は、ピン３０に代えてチェインにリングが取り付けられており、また台部には係合孔３１に代えてフックが設けられており、該リングを引っ張り、フックに引っ掛けるように構成されており、該リングを引っ張るときに指先の力を要する。これに対し、上記浴槽台１は、該ピン３０を回動させて係合孔３１に抜き差しするという極めて簡易な構成となっており、また該ピン３０の抜き差し時に該ピン３０を引っ張る必要もなく、指先の力をほとんど要しない。
【００２０】
次に、上記浴槽台１の使用について説明する。
浴槽台１を浴槽内で使用する場合、図９に示すように、台部２の短辺と浴槽５１の長辺が略平行となるように浴槽台１を配置して使用する。一方、該浴槽台１を移動などのためにその吸盤１４による固定を解除する場合、作業者は、浴槽５１の外部から台部２の長側縁に取り付けられた開放把手３２に手を掛け、このまま上方へ腕を引く。すると、開放把手３２は、回動軸３２Ａを軸中心として該台部２の外側に向かって開くように回動する（図２参照）。
【００２１】
ここで、チェイン２９は、図４に示したように、ガイド２９によってガイドされ、さらに該開放把手３２の下縁部に突設されているガイド突起３２Ｂによってガイドされたうえで合一されて一つのピン３０のガイド溝に接続されている。一方、ピン３０は、上記のように脚部３の伸縮の度合に対応した適切な係止孔３１（図４中で係止孔３１Ｂ）に係止されることによって台部２の下面に固定されており、チェイン２９は、適度な張力を保持しつつ、一端が吸盤１４に結合されながらも、台部２に固定されたピン３０に接続された他端が固定された状態にある。従って、開放把手３２を回動させたとき、チェイン２９の中間部がガイド突起３２Ｂによって台部２の外側へ向かって引っ張られ、チェイン２９は、ガイド２９によってガイドされつつ吸盤１４の端部を略垂直の上方向へ引っ張り上げ、該吸盤１４の端部をめくり上げる。その結果、該吸盤１４の内部の真空が破られ、該吸盤１４による固定が解除されることにより、浴槽台１は容易に浴槽の底から剥がれる。
【００２２】
本実施形態において、台部２の各係合孔３１Ａ〜３１Ｄの位置は、脚部３の各ピン孔１５Ａ〜１５Ｄそれぞれに対応する伸縮度において、開放把手３２によってチェイン２９が引上げられる程度に張った状態になるような位置に設定されている。
また、チェイン２９は、吸盤１４の端部から略垂直に立ち上がるように該台部２の下面に設けられたガイド２９Ａによってガイドされているため、吸盤１４の端部を斜め方向に引っ張る浴槽台に比べ、該吸盤１４の端部をめくり上げるために要するストロークが短い。このため、該吸盤１４の端部に該吸盤をめくり上げようとする力が小さな動きで無駄なく好適に加わる。
また、開放把手３２の回動によって吸盤１４の真空を破るように構成したことにより、指を握りこむ等のように指先に力を込めることなく、開放把手３２に指をかけて浴槽台１を持ち上げるという自然な動作で吸盤１４の端部をめくり上げることができ、浴槽台１の固定を解除するために大きな力を必要とすることはない。
また、開放把手３２は、台部２の長側縁に取り付けられており、上記のように浴槽５１内にて浴槽台１を使用する場合、浴槽５１外から体勢を変えることなく浴槽台１を持ち上げることができる。すなわち、開放把手３２が台部２の短側縁に取り付けられている場合、浴槽５１外から浴槽台１を持ち上げるには、腰を捻った不自然な体勢で作業を行わねばならず、また作業者が浴槽５１内に入れば不自然な体勢をとる必要はないが、しかし浴槽５１内の水を抜く等の余計な作業が必要となる。加えて、作業者が浴槽５１内に入って作業する場合、浴槽５１内面から浴槽台１側縁までの距離が短く、作業スペースが狭いため、作業がしづらく、特に本発明のような開放把手３２を台部２の外側に向かって開くように回動させる構成のものは、浴槽５１内面に手、あるいは開放把手３２が当たる等の不具合が生じるおそれもある。
【００２３】
なお、上記実施例以外、複数個の係合孔３１は一列に配列されていることに限らず、例えば千鳥状に配列されてもよい。また、係合孔３１は台部２の下面以外、例えば側面、上面などに配置されてもよい。また、開放把手３２は、台部２の短側縁に取り付けてもよく、この場合には平面形状円、平面形状正方形などの浴槽５１で使用することが望ましい。また、本発明の浴槽台１は、例えば合成樹脂を材料とし、吸盤１４や蓋型上部５の上面はゴムまたはエラストマーを材料とする。
【図面の簡単な説明】
【００２４】
【図１】浴槽台を示す斜視図。
【図２】浴槽台を示す概念図。
【図３】脚部を示す分解斜視図。
【図４】台部を下面から見た状態を示す平面図。
【図５】（ａ）はピンを台部の下面から見た状態を示す平面図、（ｂ）はピンを台部の短辺側から見た状態を示す側面図、（ｃ）はピンを台部の上面から見た状態を示す平面図、（ｄ）はピンを台部の長辺側から見た状態を示す側面図。
【図６】（ａ）は係合孔を台部の下面から見た状態を示す平面図、（ｂ）は係合孔を台部の短辺側から見た状態を示す断面図、（ｃ）は係合孔を台部の上面から見た状態を示す平面図、（ｄ）は係合孔を台部の長辺側から見た状態を示す断面図。
【図７】（ａ）はピンを係合孔に係止する状態を示す平面図、（ｂ）はピンを係合孔に係止する状態を示す断面図。
【図８】（ａ）はピンを係合孔に係合した状態を示す平面図及び断面図、（ｂ）はピンを係合孔に係止した状態を示す平面図及び断面図。
【図９】浴槽台を浴槽内から持ち上げる状態を示す概念図。
【符号の説明】
【００２５】
１                浴槽台
２                台部
３                脚部
４                箱型下部
５                蓋型上部
１２              外筒
１３              内筒
１４              吸盤
１５              係合部
２９              線材であるチェイン
２９Ａ            ガイド
３０              ピン
３１              係合孔
３２              開放把手
３２Ｂ            ガイド突起
４０              拡径頭部
４０Ｂ            ガイド部
４０Ｃ            ガイド溝
４１Ａ            縦キー
４２              縦キー溝
【図１】
2008079707.tif 000003
【図２】
2008079707.tif 000004
【図３】
2008079707.tif 000005
【図４】
2008079707.tif 000006
【図５】
2008079707.tif 000007
【図６】
2008079707.tif 000008
【図７】
2008079707.tif 000009
【図８】
2008079707.tif 000010
【図９】
2008079707.tif 000011